(57)【要約】      （修正有）【課題】犬等動物の野外や屋内での排泄行為に迅速に対応して糞や尿等の排泄物を手を汚すことなく容器に回収し、後処理も容易な犬等動物の排泄物処理具を提供する。【解決手段】排泄物を回収する容器上の蓋を２分割し前蓋３と後蓋４若しくは上蓋と下蓋の２層に構成する。いずれかの蓋に把手７を取着し、把手を正・逆回動させることでリンク又は歯車機構により前蓋と後蓋を接近・離反させ、容器開口部を開閉する。また、上蓋と下蓋をテレスコピックに伸縮させることにより蓋を容器の一方端に寄せて容器開口部を開閉する。容器には排泄物の受け袋２又は吸水性化成品を敷設できる空間を設ける。【選択図】図４
0003105538.tif 000002
【実用新案登録請求の範囲】
【請求項１】
一端を開口部とした容器と、
該容器の対向側面に設けられた支軸に回動可能に設けられ前記開口部を覆う蓋体と、
該蓋体を回動させて前記開口部を開閉する前記支軸を回動中心とする把手とを含んでなり、容器に排泄物回収部材を収納できるようにしたことを特徴とする犬等動物の排泄物処理具。
【請求項２】
前記蓋体は２枚で構成されている請求項１に記載の犬等動物の排泄物処理具。
【請求項３】
前記２枚の蓋体が前蓋と後蓋で構成され前記対向側面上で横方向に中心より等距離に離れて設けた支軸に別々に回動可能に支持されており前記２枚の蓋体が連動して互いに反対方向に回動する連動機構を有する請求項２に記載の犬等動物の排泄物処理具。
【請求項４】
前記把手は１枚の蓋体の支軸を共用するとともに、この蓋体に取り付けられ閉蓋時に前記支軸間中心位置に立ち上がる請求項３に記載の犬等動物の排泄物処理具。
【請求項５】
前記連動機構はリンク機構である請求項３又は４に記載の犬等動物の排泄物処理具。
【請求項６】
前記連動機構は２本の前記支軸をそれぞれ回転中心として噛合する一組の歯車である請求項３又は４に記載の犬等動物の排泄物処理具。
【請求項７】
前記２枚の蓋体が上蓋と下蓋で構成され、この２枚は前記対向側面上の中央部分に突設された一本の前記支軸を共用の回動中心となし、その内１枚が前記把手の回動により前記開口部を開閉し他の１枚が先の蓋体の回動時に係合して回動し開閉する請求項２に記載の犬等動物の排泄物処理具。
【請求項８】
前記把手は前記蓋体の上蓋に立設されたものである請求項７に記載の犬等動物の排泄物処理具。
【請求項９】
前記把手を少なくとも立てた位置に保持して前記蓋体が開口しないよう固定するストッパ部材を設けた請求項１乃至８のいずれか１項に記載の犬等動物の排泄物処理具。
【考案の詳細な説明】
【技術分野】
【０００１】
本考案は、排泄物処理具に関するものであり、特に犬等動物の排泄物を容易に採集し、衛生的に処理することができる排泄物処理具に係るものである。
【背景技術】
【０００２】
犬等動物の排泄処理具として、ワイヤを大きめの金魚掬いの形に曲げ、、そのリング形状部の開口部内にビニル袋を入れ、開口縁にビニル袋を被せて排泄物受けとしたもの。
腰を曲げずに排泄物処理ができるように小形のスコップサイズの把手部分で操作して先端部の容器に排泄物を回収するものがある。
【０００３】
携帯可能な排泄物処理具の従来技術として文献１が知られている。〔引用する文献１の図番及び部品番号は公報記載のものを援用する〕
即ち、文献１に記載する技術は、図１において、上面に開口部を有する容器２と、容器２の重心より上方位置で容器２を回動可能に支持する支持部材３と、支持部材３から延設された把手４と、容器２を所定の回動位置で保持する容器保持手段とを備え、把手を持ち運んでいるときは容器上の開口部を蓋し平面に置き把手を１８０度旋回させて開口部の反対側に位置するときは容器が開口するように把手と蓋とを連結していることを特徴としている。
【特許文献１】実用新案登録第３０５８２６１号  〔００２４〕〜〔００２８〕、図１〜図３
【考案の開示】
【考案が解決しようとする課題】
【０００４】
従来技術で述べた排泄物処理具の多くは古くからある清掃用具を応用したものが多く、持ち歩く場合外観上見栄えが良くないという問題があった。
また、嵩高く、外観上一見して排泄物処理具とわかるものを持ち歩くのは敬遠されるという問題があった。また、容器の蓋の開閉機構の構造を含めた全体の重量が持ち歩くのに煩わしいという問題があった。また、犬等動物の股間に挿入できる程度に容器を小形に作ることが困難であった。また、処理具の形状によっては、容器の把手が排便で汚れる場合があるという問題を生じていた。また、犬等動物の排便に間に合わないという問題があった。
【０００５】
本考案は従来技術の有するこのような問題点に鑑みなされたものであり、その目的とするところは、野外や屋内で使う場合に小形軽量で持ち運びの見栄えが良く、容器の開閉が瞬時に可能で、把手が排便で汚される恐れがなく、且つ排便後の閉蓋操作と排泄物の後処理が容易な犬等動物の排泄物処理具を提供するものである。
【課題を解決するための手段】
【０００６】
請求項１の犬等動物の排泄物処理具は、一端を開口部とした容器と、該容器の対向側面に設けられた支軸に回動可能に設けられ前記開口部を覆う蓋体と、該蓋体を回動させて前記開口部を開閉する前記支軸を回動中心とする把手とを含んでなり、容器に排泄物回収部材を収納できるようにしたものである。
【０００７】
請求項１の考案によれば、容器には正方形，長方形，小判形を含み上に開口部を有する蓋のない深い所謂弁当箱形の容器である。蓋体は蝶番で開閉するものではなく、容器の側面に設けられたピンを支軸として蓋体に取設した把手を回動させることにより容器の開口部を開閉するようにしたものである。
把手は握れる程度の長さにして軽量化し、先端に紐を結びつけて吊り下げて持ち歩き易くする。容器や蓋を金属薄板で構成できるが樹脂材で成形品とすることにより見栄え良く持ち運びできる。
【０００８】
請求項２の犬等動物の排泄物処理具は、前記２枚の蓋体で構成されているものである。  請求項２の考案によれば、容器の開口部を覆う蓋体を２分割することにより開口部を十分開口できるので、開いた後の蓋体が容器の外側へ移動させることにより、排泄物を容器内に落とし込む時に器具の汚れを防ぎ、犬等動物の容器への接近を容易にすることができる。
【０００９】
請求項３の犬等動物の排泄物処理具は、前記２枚の蓋体が前蓋と後蓋で構成され前記対向側面上で横方向に中心より等距離に離れて設けた支軸に別々に回動可能に支持されており前記２枚の蓋体が連動して互いに反対方向に回動する連動機構を有するものである。
【００１０】
請求項３の考案によれば、把手を手前に倒して回動させた時に前蓋は向こう側へ、後蓋は手前側へ回動することにより容器の開口部が全開口となると共に、犬等動物へ容器を接近させる時に、前蓋が邪魔にならないよう容器の前壁に接近した位置に移動させている。  
【００１１】
請求項４の犬等動物の排泄物処理具の、前記把手は１枚の蓋体の支軸を共用するとともに、この蓋体に取り付けられ閉蓋時に前記支軸間中心位置に立ち上がるものである。
【００１２】
請求項４の考案によれば、把手を手前側に約９０度回動して蓋を全開させて、容器を犬等動物の股間に近づける時、握りやすい水平位置に把手がくる。また、全閉となったとき把手が容器の中心に立ち上がるので処理具は安定した姿勢となる。
【００１３】
請求項５の犬等動物の排泄物処理具の、前記連動機構はリンク機構である。
請求項５の考案によれば、後蓋と前蓋とをリンクで連結したので把手の手前側への回動操作で２枚の蓋体は互いに逆方向に回動して開き、把手を向こう側へ回動操作して立ち上げることで閉まるものである。  
【００１４】
請求項６の犬等動物の排泄物処理具の、前記連動機構は２本の前記支軸をそれぞれ回転中心として噛合する一組の歯車である。
請求項６の考案によれば、前蓋と後蓋のそれぞれの支軸を回動中心とし前蓋と後蓋のそれぞれと一体とした一組の歯車を設けて噛合わせ把手の回動で２分割された蓋体を互いに逆方向に回動させ手前に倒したとき開口し、起こしたとき閉口するものである。
【００１５】
請求項７の犬等動物の排泄物処理具は、前記２枚の蓋体が上蓋と下蓋で構成され、この２枚は前記対向側面上の中央部分に突設された一本の前記支軸を共用の回動中心となし、その内１枚が前記把手の回動により前記開口部を開閉し他の一枚が先の蓋体の回動時に係合して回動し開閉するものである。
【００１６】
請求項７の考案によれば、２分した蓋体を前蓋，後蓋の２層構造に構成し、把手を手前側に回動させて下蓋を上蓋の突起で係合して連れ回りさせて重ねることで容器を全開にし、把手を向こう側に回動させて上蓋の後端部と下蓋の前端部と係合させて下蓋をずらせて閉口するものである。
この方式では，開口時容器の前側に蓋がないので容器を犬等動物の股間に接近させやすい点があげられる。
【００１７】
請求項８の犬等動物の排泄物処理具の、前記把手は前記蓋体の上蓋に立設されたものである。
請求項８の考案によれば、開閉操作用の把手を上となる前蓋に立設することにより持ち運びが向上する。
【００１８】
請求項９の犬等動物の排泄物処理具は、前記把手を少なくとも立てた位置に保持して前記蓋体が開口しないよう固定するストッパ部材を設けたものである。
請求項９の考案によれば、開口部を蓋体で閉じ、後蓋又は前蓋に取着された把手と容器の側壁から突出して設けられた支軸とをストッパ部材で係合させることにより容器や蓋体からなる犬等動物の排泄物処理具を手運び途中で開蓋させることなく安定し持ち運びが出来る。
また、蓋の開口部や隙間にパッキンを入れ機密性を高めてロックするのに有効である。
【考案の効果】
【００１９】
本考案の犬等動物の排泄物処理具は上述の手段により課題を解決するようにしたので次に記載する効果を奏する。
【００２０】
請求項１の考案は、排泄物処理具がコンパクトに構成されているので持ち運びに違和感がないという効果を有する。
また、排泄物処理具の大部分を樹脂材で構成できるので軽量であり持ち運びが煩わしくないという効果を有する。
また、樹脂材は色彩の選択幅が広く美観を付与するのが容易であるという効果を有する。
また、犬等動物が便意を表したときでも排泄物の受け入れ準備が瞬時にできるという効果を有する。
また、排泄物の容器の機密性が高いので臭気を外に出さないので、野外，屋内で共用できるという効果を有する。
また、処理具の把手が、排泄物が落下する容器より後方にあるので排泄物で汚れることがないという効果を有する。
また、容器内に尿吸収可能なパッド又は化成品をいれることにより糞と尿等の流体物を併せて回収することができるという効果を有する。
【００２１】
請求項２の考案は、請求項１に記載の効果に加え、蓋体を２分したことにより容器を開口させたとき、容器の周囲に蓋をコンパクトに纏めることができるという効果を有する。  
【００２２】
請求項３の考案は、請求項１に記載の効果に加え、前蓋と後蓋に２分し前蓋は容器の前縁にそって納まり、後蓋は容器より後方手前側に移動させることができるので開口した後の容器を犬等動物の股間に接近させやすいという効果を有する。
【００２３】
請求項４の考案は、請求項１に記載の効果に加え、容器の重心より上部に支点を有する把手（所謂バケツの把手）ではなく、蓋体と回動支軸を共用とする把手を設けることにより把手と蓋の同時の回動操作により蓋を開閉できるので操作時間に無駄がないという効果を有する。
【００２４】
請求項５の考案は、請求項１に記載の効果に加え、前蓋と後蓋の開閉にリンク機構を採用することにより安価で且つ開閉操作が安定しているという効果を有する。
【００２５】
請求項６の考案は、請求項１に記載の効果に加え、前蓋と後蓋の開閉に一組の歯車を採用することにより前蓋と後蓋のそれぞれの回動角の選定が容易になる効果を有する。
【００２６】
請求項７の考案は、請求項１に記載の効果に加え、開口時に容器の後方壁面近くに２分した蓋体を纏めて集めるので容器の前方壁面近くには蓋がない。従って、犬等動物の股間への接近が容易であるという効果を有する。
【００２７】
請求項８の考案は、請求項１に記載の効果に加え、開口部の開閉時に下蓋を押し下げたり、引き上げたりする上蓋に把手を立設したことにより把手の倒、又は立の一動作で開口・閉口が可能であり、一瞬の内に犬等動物の排便動作に対応が可能であるという効果を有する。
【００２８】
請求項９の考案は、請求項１に記載の効果に加え、排泄物処理具を密閉状態で開口することなく安定して吊り下げて持ち運ぶことが可能であり、また、蓋体を容器上に当てロックする際のストッパ部材の操作手順が簡易で迅速にできるという効果を有する。
【考案を実施するための最良の形態】
【００２９】
以下、本考案の実施の形態を図面にもとづいて説明する。
【実施例１】
【００３０】
図１は、分割した蓋をリンクを用い互いに反対方向に旋回させることにより容器の開口部を開閉するリンク式排泄物処理具の正面図、図２は図１のリンク部説明側面図、図３は図２の支軸の断面説明図である。
【００３１】
図１〜図３において、容器１は通常樹脂製の板材で形成され上方に開口した方形の排便受け具で、内側に落下している排泄物を受ける紙やビニル製の受け袋２を収容することができる。容器１の上面の蓋は２分割され、ほぼ同形状の前蓋３，後蓋４で形成されている。後蓋４は把手７を倒す側にあり、排泄物処理具の操作人が把手７を持って開閉する操作側の半分の蓋をいう。前蓋３とは犬等動物の股間に挿入する側の半分をいう。
【００３２】
前蓋３は容器１の開口部上面を前方向に円弧上を移動し開口する。そのため移動方向に平行な容器１の左右側壁１ａ，１ｂに一対で同心の支軸５，５が設けられている。前蓋３が支軸５，５で支持され回動できるよう、前蓋３の方形状の上面３ａから左右側壁１ａ，１ｂに沿って平行な連結部３ｂ，３ｃが延長して設けられている。
【００３３】
後蓋４の形状は前蓋３と略同じ形状に形成されている。後蓋４の回転中心の支軸６，６は前蓋３の支軸５，５と同じく左右側壁１ａ，１ｂ上に容器の前後中心に対し対称的に設けられている。支軸５と支軸６は重心高さの位置により限定されるものでなく、重心より低い位置でも良い。支軸５，６は設計上同一高さにするのが良い。前蓋３，後蓋４とは容器１の開口部上面で蓋上面が円弧移動して開き、閉じたとき中央で当接するように設けられている。
【００３４】
前蓋３と後蓋４の閉蓋時の当接位置で、容器の開口部の中心上方に握り部７ｂが位置する二股状把手７は後蓋４の下側方に延びる連結部４ｂ，４ｃの外側に沿って支軸６，６迄延びる二股部７ａ，７ａで支軸を中心として回動可能であり、把手７は後蓋４に一体として回動するように取着されている。把手７は容器の持ち歩き用および前蓋３，後蓋４の開閉用である。
【００３５】
把手７は後蓋４と一体に形成しても良いが別個に製作した後ピン１３を打ち込み一体化しても良い。いずれの場合でも把手７は後蓋４の一部分に取着されている。そして把手７は図２の側面図において逆く字状に曲がっており立ち上がったとき支軸５，６の間の中心真上に握り部７ｂが位置する。把手７は伸縮できるように構成することができる。
【００３６】
把手７を把持して手前（操作人側）に倒すことにより後蓋４は支軸６，６を中心に手前側に、前蓋３は支軸５，５を中心に前方にリンクにより逆方向に旋回し開口する。この時把手７を容器１の開口面とほぼ平行になるよう後蓋４の蓋上面４ａの後方端を曲げた延長部４ｄが開口時容器の外面１ｃに当接するように形成されているので、開口したままの容器１を水平として犬等動物の排泄近くに持ち運ぶことができる。
【００３７】
後蓋４と前蓋３の開閉を把手７の旋回で行うためのリンク機構について説明する。
把手７の二股部７ａの一方を貫通して蓋体４の一方の連結部４ｃから突出して取着されている支軸８に、長いリンク９の一方端部が回動自在に支承されている。前蓋３の一方の連結部３ｃは支軸５を越えてアーム部３ｄとして逆く字状に延長されており、その先端はリンク９の他端と立ち上がった把手７の延長線上の位置で支軸１０で回動自在に連結されている。この状態で把手７の支軸６，８間の二股部７ｃの長さと前蓋３のアーム部３ｄの長さとほぼ等しく、ほぼ平行である。リンク９及びアーム部３ｄは容器１の左右の側壁に対称的に配設することも可能であるが、片側の側壁のみ設けても良い。
【００３８】
また、把手７を少なくとも立てた位置に保持して前記蓋体が開口しないよう固定し容器１を水平に保持するストッパ部材が設けられている。ストッパ部材のストッパ１１はその一方の端部が支軸８に回動自在に支承されている。
ストッパ１１は把手７を鉛直に立ち上げて前蓋３と後蓋４を回動させて容器１の上部を開口部を覆った後、前蓋３と後蓋４を閉じたままにしておくためのリンクである。
【００３９】
即ち、ストッパ１１の他端は支軸５の先端部に引っかかるように係合部の切欠が形成され係合させることで前蓋３と後蓋４が左右に開放しないようロックする。後蓋４の蓋上部４ａの前方端に設けたゴム・フェルト・スポンジ等の弾性部材１４はストッパ１１を支軸５に係合させるときのばね材の効果と容器１の密閉効果を向上させる。なお、前蓋３，後蓋４の下面と容器１の上面とは隙間のできない曲面又は弾性体を取り付けて密閉できるようにすることが望ましい。
【００４０】
容器１，前蓋３，後蓋４，リンク９は薄い金属板で形成しても良いが、軽量化のため樹脂材を用い形成製品を作ることもできる。色の選択の自在であり外観上も見栄えも向上する。支軸５，６，８，１０は金属・樹脂で形成しても良いが、前蓋３，後蓋４に突出部を一体とし樹脂材の弾力性を利用して組み立てるよう形成して構成部品数を少なくすることができる。なお、把手７の先端には吊り下げ用の紐１２を取り付けると持ち運びに便利である。また、伸縮可能とすることができる。
【００４１】
次に実施例１の作用を図面にもとづき説明する。
【００４２】
犬等動物が排便動作を示し始めた時、直ちにストッパ１１を支軸８を中心としてはね上げて係合を外し、ロックを解除すると共に、把手７を図２において反時計方向手前側におよそ９０度回動させる。把手７はおよそ９０度左まわりに回転すると水平になり、後蓋４の延長部４ｄの先端が容器１の外面１ｃと当接する。
把手７を反時計回りに回動させると同時にリンク９とアーム部３ｄを介して連結されている前蓋３は支軸５を中心に時計回りに回動し、後蓋４と前蓋３は仮想線（図）の状態に移動し容器１の上面開口部は全開となる。この状態で把手７を持って前蓋前面を犬等動物の股間に挿入し排便に備える。
【００４３】
排便が終わった後は犬等動物の股間から容器を引き出し、把手７を鉛直に起こし立ち上げると前後の蓋３，４が相接近して容器１の上部開口部を閉じる。ストッパ１１を右回りに回動させて先端の切り込みを支軸５に係合すると、前蓋３，後蓋４は固定され容器１は水平状態に安定した持ち運びが可能となる。
なお、容器の内側には紙またはビニル等排泄物を直接受ける袋を内装することにより容器を清潔に保つことができるので、手を汚すことなく犬等動物の排泄物処理が可能となる。
【実施例２】
【００４４】
図４は分割した蓋の開閉を一対のセグメントギヤで行う歯車式排泄分処理具の機構部説明側面図、図５は図４の支軸の断面説明図である。
排泄物処理具の容器１、受け袋２、前蓋３、後蓋４、把手７，ストッパ１１等の容器を構成する部材は実施例１と全く共通するので同符号を付して説明を省略し、相違する構成について図４，図５にもとづき説明する。
【００４５】
図４、図５において、支軸６，６を回動中心とする後蓋４に小径のセグメントギヤ１６が取着され、支軸５，５を回動中心とする前蓋３に大径のセグメントギヤ１８が取着されていて両歯車１６，１８は噛み合っている。把手７が鉛直位置にある時は前蓋３、後蓋４の端面が当接し容器１の上部の開口部を覆って閉じている。歯数比，歯車径比を変更することにより両蓋の回転角を適宜設定可能である。
【００４６】
ストッパ１１を開放し把手７が図４の図上で反時計方向に９０度回動させて後蓋４を仮想線で示す位置に移動させると前蓋３と一体の大径のセグメントギヤ１８はセグメントギヤ１６と噛み合うピッチ径に反比例する角度だけ旋回する。前蓋３の蓋上面３ａの後端が容器１の上面より下になるように歯数比を決定する。
【００４７】
一例としてセグメントギヤ１６，セグメントギヤ１８を４：１０近傍に選定することができる。前蓋３を更に下げる場合は５：１０の方向に変更すれば良い。
一対のセグメントギヤ１６，１８で蓋を開閉する構成は部品の点数が少ない。また歯車機構だけを容器内に組み込んでカバーを付すことにより安全上の対策も処置可能である。  
【００４８】
本考案による排泄物処理具はコンパクトに構成され、容器に蓋をした後の気密性が高いので屋内で使用した後でも臭気が漏れにくい。更に、底付の容器であるため容器内に受け袋２を加えて尿吸着化成品または吸収パッドを入れることにより排尿処理具としても使用できる。実施例２の前後蓋の開閉の動作およびストッパ１１の作用は実施例１と同じであり説明は省略する。
【実施例３】
【００４９】
実施例１，実施例２では容器開口部の蓋が２分割されており、後蓋に一体に取着された把手２７を正逆回動操作することにより開口部にそって前蓋と後蓋が回動し離間・接近して開口部全体を開口又は閉口するようにしたものである。これに対し本実施例は、容器開口部の蓋は２分割されているが上下に重ねて構成されいてる。上蓋に形成された把手７を手前に倒すことによって容器１の後端側（操作人側）に上下２層に重ねて容器１の上部に十分な開口部を形成し、把手２７を前端側に回動することにより上蓋２１で下蓋２２を引き上げ開口部全体を覆うようにしたものである。把手２７は伸縮可能に構成することもできる。
【００５０】
図６は分割した蓋を２層にし、テレスコピック状に伸縮させて開口部を開閉するようにした２層式排泄物処理具の構造説明図である図７は図６の上面図である。
図６、図７において、容器１は板材で形成され、上方に開口した方形の排泄物受け具で、内側に落下してくる排泄物を直接受ける紙やビニル製の受け袋２を備えることができる。容器１の上部の蓋は上下に重ねた上蓋２１と下蓋２２で構成されている。
【００５１】
上蓋２１，下蓋２２は、容器１の対向する側壁面上に設けた同一線上の支軸２３，２３を共通の中心として回動できるよう蓋上面２１ａ，２２ａから対向する側壁面に沿って下方に曲げて延長した両側の連結部２１ｂ，２１ｂ；２２ｂ，２２ｂが形成されている。下蓋２２は、上蓋２１に形成した把手２７の旋回操作によりテレスコピック状に伸縮する。  
【００５２】
即ち、上蓋２１の蓋上面２１ａの後端（手前側）に形成した回動方向と直角の下向きの折り曲げ部２１ｃと、両側に垂れ下がる連結部２１ｂ，２１ｂの前端（向こう側）の上部に内側へ曲げて形成した折り曲げ部２１ｄが形成されている。下蓋２２の前端には折り曲げ部２１ｃと平行な上向きの折り曲げ部２２ｃが形成されている。上蓋２１を閉じる方向の時計回りに回動させると、折り曲げ部２１ｃは、後蓋２２の蓋上面２２ａの前端に形成した上向きの折り曲げ部２２ｃと係合し、下蓋２２を引き上げて開口部を閉じる。上蓋２１を開ける手前側左方向に回動させると突起２１ｄは、下蓋２１の連結部２２ｂの前縁部２２ｅに係合して下蓋２２を連れ回りさせ開口部を開ける。
【００５３】
下蓋２２の蓋上面２２ａの後端には縁に沿って下向きの折り曲げ部２２ｄが形成されており、下蓋２２が引き上げられ閉じ方向に回動したときに折り曲げ部２２ｄが容器１の開口縁にあって後方壁面上部に形成したストッパ部１ｅと当接し、下蓋２２の上限位置が定まる。これに伴って上蓋２１の位置も決まる。
このように上蓋２１と下蓋２２がテレスコピック状に伸縮し容器１の開口部の上部全面を覆うことができる。また、下蓋２２の折り曲げ部２２ｄは左方向回動端で容器１の側面に当接して下蓋２２の開口端を位置決めし、これに伴って上蓋２１も位置決めされ把手２２が水平位置となる。
【００５４】
上蓋２１の少なくとも一方の連結部２１ｂに立設したピン２８に一方の端部が回動自在に支承されたストッパ２４が設けられている。ストッパ２４の他方の端部にはフック状の切欠部２４ａが形成され、この切欠部２４ａが容器１の側面に突設されたピン２５と係合し、蓋２１，２２が開かないようにして蓋全体が容器１に固定され排泄物処理具の持ち運びが安定したものとなる。
【００５５】
ここで、前方とは上蓋２１，下蓋２２が容器１の開口部を閉じる場合の把手２７の移動方向であり、後方とは開口部を開口させるときの把手２７の移動方向である。図６の図上では右側が容器１の前方であり、左側が後方である。
【００５６】
ストッパ２４の係合を外し、上蓋２１を操作して後方に移動させて開口させ、この状態を維持するため、容器１の両壁面上であって上蓋２１の連結部２１ｂの内側に圧接可能な位置にブレーキ板２６が設けられている。このブレーキ板２６は把手２７を片手で把持して犬等動物の股間に容器を接近挿入を容易にするためであって、その間容器１を支えるためのものである。
【００５７】
なお、把手２７には排泄物処理具の持ち運びに便利なように紐１２を付設することができる。また、把手２７に設けた把持用円弧状の長穴２７ａに替えて紐１２を通す小孔穴付部２１ｅを延長した形状の操作用の把手２８（仮想線で示す）を形成することもできる。  
【００５８】
なお、排泄物処理具は持ち運びが楽な様に軽量であることが最重要である。また、外観上見苦しくなく違和感なく手持ちできる外観が必要である。そのため、容器１，上蓋２１，下蓋２２，把手２７等を樹脂材とするのが望ましい。樹脂は軽量であり彩りの選択の範囲が広く、また量産時は製造コストの引き下げに寄与する度合いが大きい。
【００５９】
実施例３の作用について説明する。
犬等動物が排便動作を示し始めた時、直ちにストッパ２４をはね上げてロックを解除すると共に、ストッパ２４の解除方向と同じ方向に把手２７を図６においては反時計方向に約６０度回動させると、上蓋２１の連結部２１ｂの突起２１ｄが下蓋の前縁部２２ｅに当接して回動させる。把手２７が後方端に達し容器１の上蓋２１，下蓋２２は十分開口する。ブレーキ板２６により上蓋２１の位置が定まった後、把手２７を持って犬等動物からの股間の排泄物の落下点に容器１の開口部を入れる。
【００６０】
排便が終わった後容器１を取り出し容器内の受け袋２を仮に閉じておく。次に把手２７を前方へ約６０度回動移動させたとき上蓋２１の折り曲げ部２１ｃが下蓋２２の上方折り曲げ部２２ｃに係合して２枚の蓋が共に回動して下蓋２２の後端折り曲げ部２２ｄがストッパ部１ａに当接して開口部を全閉する。蓋で全閉した後、ストッパ部材のストッパ２４を回して切込部２４ａをピン２５に係合させてロックを完了する。
【図面の簡単な説明】
【００６１】
【図１】分割した前蓋，後蓋からなる蓋を反対方向にリンクで回動させることにより容器の開口部を開閉するリンク式排泄物処理具の正面図である。
【図２】図１の側面図で、特にリンク機構を説明した側面図である。
【図３】図２の開口状態における支軸位置の断面説明図である。
【図４】分割した前蓋，後蓋からなる蓋の開閉を一対のセグメントギヤで行う歯車式排泄物処理具の機構部説明図である。
【図５】図４の開口状態の支軸位置の断面説明図である。
【図６】分割した蓋を２層にし、テレスコピック状に伸縮させて容器の開口部を開閉するようにした上蓋・下蓋からなる２層式排泄物処理具の構造説明側面図である。
【図７】図６の上面図である。
【符号の説明】
【００６２】
１  容器
２  受け袋
３  前蓋
４  後蓋
５，６，８，１０，２３  支軸
７，２７，２８  把手
９  リンク
１１，２４  ストッパ
１２  紐
１４  弾性部材
１６，１８  セグメントギヤ
２１  上蓋
２２  下蓋
２５，２８  ピン
２６  ブレーキ板
【図１】
0003105538.tif 000003
【図２】
0003105538.tif 000004
【図３】
0003105538.tif 000005
【図４】
0003105538.tif 000006
【図５】
0003105538.tif 000007
【図６】
0003105538.tif 000008
【図７】
0003105538.tif 000009